(57)【特許請求の範囲】
【請求項１】
筐体の外面に複数の同軸ケーブル接続用の端子が取り付けられるブースタにおいて、前記複数の端子は前記筐体の側部外面に２段に配列され、前記複数の端子が配列される２段の境界に立設する段差面が形成され、この段差面の基端に接し前記側部の面の一部を形成する一の面と、前記段差面の先端に接し前記側部の面の残部を形成する他の面とに分けて、前記複数の端子が配列され、前記段差面における前記端子と対向する部分には溝部が形成されるブースタ。
【請求項２】
前記２段のうち一方に配列される各端子と他方に配列される各端子とが互い違いに配列されるちどり配列構造になっている請求項１記載のブースタ。
【発明の詳細な説明】
【０００１】
【発明の属する技術分野】
本発明は、箱状の筐体の外面に複数の同軸ケーブル接続用の端子が取り付けられているブースタに関するものである。
【０００２】
【従来の技術】
従来、ＦＭ、ＶＨＦ、ＵＨＦ、ＢＳ−ＩＦ、ＣＳ−ＩＦまたはＣＡＴＶなどの信号を増幅するブースタが市販されているが、近年、種々のマルチメディア関連機器の登場に伴って、これらマルチメディア関連機器とともにこの一機器としての上記ブースタを内器として収納するいわゆるマルチメディアポートと呼ばれるボックスが市販されている。
【０００３】
図１１はこのような従来のマルチメディアポートが複数のマルチメディア関連機器を収納している様子を示す正面図で、このマルチメディアポートPA１は、木板PA２、この木板PA２が底に取り付けられて背面側からねじ止めされる箱状のボディPA３、およびこのボディPA３の開口部閉塞用の図示しないカバーなどにより成り、データサービスユニット（ＤＳＵ）PA５、モジュラ端子台PA６、デジタルＣＳ衛星信号切換器PA７、電源端子台PA８およびＢＳ・Ｕ／ＶブースタPA１０などを収納している。
【０００４】
このＢＳ・Ｕ／ＶブースタPA１０は、ＢＳとＵ／Ｖ混合、増幅および分配する機能を有しており、これにより、多機能化および小型化を実現し、マルチメディアポートPA１に対するマルチメディア関連機器の収納率向上に寄与している。
【０００５】
【発明が解決しようとする課題】
しかしながら、このような従来の多機能化されたブースタでは、多機能化に伴って同軸ケーブル接続用の端子数が増大するから、図１２に示すように、同軸ケーブル接続用の端子（Ｆ型接栓端子）１７の配列によりブースタPA２０の幅（図１２では横幅）が拡大し、マルチメディアポートPA１に対するマルチメディア関連機器の収納率が低下することになる。このため、マルチメディアポートPA１のサイズを大きくしなければならなくなる場合が生じる。
【０００６】
本発明は、上記事情に鑑みてなされたものであり、同軸ケーブル接続用の端子数が増大しても、筐体の幅の短縮が可能で、小型化および狭い施工スペースへの効率的な取付けが可能となるブースタを提供することを目的とする。
【０００７】
【課題を解決するための手段】
上記課題を解決するための本発明は、筐体の外面に複数の同軸ケーブル接続用の端子が取り付けられるブースタにおいて、前記複数の端子は前記筐体の側部外面に２段に配列され、前記複数の端子が配列される２段の境界に立設する段差面が形成され、この段差面の基端に接し前記側部の面の一部を形成する一の面と、前記段差面の先端に接し前記側部の面の残部を形成する他の面とに分けて、前記複数の端子が配列され、前記段差面における前記端子と対向する部分には溝部が形成されるものである。
【０００８】
この構造では、複数の端子が筐体の外面に側部２段に配列されるので、筐体の幅が短縮するようになる。これにより、同軸ケーブル接続用の端子数が増大しても、小型化および狭い施工スペースへの効率的な取付けが可能となる。また、この構造によれば、各端子への同軸ケーブルの接続作業が一層容易になる。
【００１０】
また、前記２段のうち一方に配列される各端子と他方に配列される各端子とが互い違いに配列されるちどり配列構造になっているものでもよい。この構造によれば、各端子への同軸ケーブルの接続作業が一層容易になる。
【００１２】
【発明の実施の形態】
図１（ａ）〜（ｄ）は、それぞれ本発明の第１実施形態に係るブースタの正面図、上側面図、下側面図および右側面図で、以下この図を用いて第１実施形態について説明する。
【００１３】
このブースタ１０は、例えば、ＵＶ混合器としての混合器部、ＢＳ−ＩＦ入力部、４または６分配器としての分配器部、ＦＭ、ＶＨＦ、ＵＨＦ、ＢＳ−ＩＦ、ＣＳ−ＩＦまたはＣＡＴＶなどの信号を増幅するブースタ部、および電源部などを有し（図示省略）、これら混合器部、ＢＳ−ＩＦ入力部、分配器部、ブースタ部および電源部などは、例えばアルミダイキャスト製の筐体１１に内蔵されている。
【００１４】
この筐体１１は、上下方向に伸びる直方体形状に形成され、上下方向にそれぞれ耳状のフランジ部１１ａおよびこのフランジ部１１ａよりも上下方向の長さが短いフランジ部１１ｂを備え、これらフランジ部１１ａ，１１ｂの各左右端側には本ブースタ取付け用の孔ＴＨ１が穿設されている。
【００１５】
また、筐体１１の正面中央右側には、上記ＵＨＦやＶＨＦなどの信号に対する利得調整ボリューム１２が図１の例では３個設けられている。そして、これら利得調整ボリューム１２の下側には、−１０ｄＢまたは−２０ｄＢ低減用のスライドアッテネータ１３が４個一列に設けられており、さらにこれらスライドアッテネータ１３の左側には、ＢＳへの電力供給用のスライド式のオン／オフスイッチ（いわゆるＢＳコンバータ電源スイッチ）１４が設けられている。さらに、筐体１１の正面下左側には電源スイッチ１５が設けられている。
【００１６】
また、筐体１１の下側面には、本ブースタ１０への外部交流電源接続用で、速結端子の電線挿入孔１６が設けられている。
【００１７】
さらに、筐体１１の上側面には、図１の例では、同軸ケーブル接続用の端子１７が各列３個づつ２段に配列されて設けられている。このように、端子１７を２段に配列することにより、筐体１１の横幅がそれら端子を一列に並べる場合と比較すると半分程度の長さに短縮されることになる。
【００１８】
以上、第１実施形態によれば、複数の端子１７が筐体１１の外面、図１の例では上側面に２段に配列されるので、同軸ケーブル接続用の端子数が増大しても、筐体１１の横幅の短縮が可能になる。これにより、小型化および狭い施工スペースへの効率的な取付けが可能となる。
【００１９】
図２（ａ）〜（ｄ）は、それぞれ本発明の第２実施形態に係るブースタの正面図、上側面図、下側面図および右側面図で、以下この図を用いて第２実施形態について説明する。
【００２０】
このブースタ２０は、例えば、ＵＶ混合器としての混合器部、ＢＳ−ＩＦ入力部、４または６分配器としての分配器部、ＦＭ、ＶＨＦ、ＵＨＦ、ＢＳ−ＩＦ、ＣＳ−ＩＦまたはＣＡＴＶなどの信号を増幅するブースタ部、および電源部などを有し（図示省略）、これら混合器部、ＢＳ−ＩＦ入力部、分配器部、ブースタ部および電源部などは、例えばアルミダイキャスト製の筐体２１に内蔵されている。
【００２１】
この筐体２１は、上下方向に伸びる直方体形状に形成され、上下方向にそれぞれ耳状のフランジ部２１ａおよびこのフランジ部２１ａよりも上下方向の長さが短いフランジ部２１ｂを備え、これらフランジ部２１ａ，２１ｂの各左右端側には本ブースタ取付け用の孔ＴＨ１が穿設されている。
【００２２】
また、筐体２１の正面中央右側には、上記ＵＨＦやＶＨＦなどの信号に対する利得調整ボリューム１２が図２の例では３個設けられている。そして、これら利得調整ボリューム１２の下側には、−１０ｄＢまたは−２０ｄＢ低減用のスライドアッテネータ１３が４個一列に設けられており、さらにこれらスライドアッテネータ１３の左側には、ＢＳへの電力供給用のスライド式のオン／オフスイッチ１４が設けられている。また、筐体２１の正面下左側には電源スイッチ１５が設けられている。
【００２３】
また、筐体２１の下側面には、本ブースタ２０への外部交流電源接続用で、速結端子の電線挿入孔１６が設けられている。
【００２４】
さらに、筐体２１の上側面には、図２の例では、端子１７が各列３個づつ２段に配列されて設けられ、そしてこれら２段の領域の境界には正面側の領域が一段下がる段差２１ｃが形成されている。このように、端子１７を２段に配列することにより、筐体２１の横幅がそれら端子を一列に並べる場合と比較すると半分程度の長さに短縮されることになる。また、段差２１ｃを形成することにより、各端子１７への同軸ケーブルの正面からの接続作業が容易になる。
【００２５】
以上、第２実施形態によれば、第１実施形態と同様の効果を奏することが可能になるとともに、各端子１７への同軸ケーブルの接続作業を容易にすることが可能になる。
【００２６】
図３（ａ）〜（ｄ）は、それぞれ本発明の第３実施形態に係るブースタの正面図、上側面図、下側面図および右側面図で、以下この図を用いて第３実施形態について説明する。
【００２７】
このブースタ３０は、例えば、ＵＶ混合器としての混合器部、ＢＳ−ＩＦ入力部、４または６分配器としての分配器部、ＦＭ、ＶＨＦ、ＵＨＦ、ＢＳ−ＩＦ、ＣＳ−ＩＦまたはＣＡＴＶなどの信号を増幅するブースタ部、および電源部などを有し（図示省略）、これら混合器部、ＢＳ−ＩＦ入力部、分配器部、ブースタ部および電源部などは、例えばアルミダイキャスト製の筐体３１に内蔵されている。
【００２８】
この筐体３１は、上下方向に伸びる直方体形状に形成され、上下方向にそれぞれ耳状のフランジ部３１ａおよびこのフランジ部３１ａよりも上下方向の長さが短いフランジ部３１ｂを備え、これらフランジ部３１ａ，３１ｂの各左右端側には本ブースタ取付け用の孔ＴＨ１が穿設されている。
【００２９】
また、筐体３１の正面中央右側には、上記ＵＨＦやＶＨＦなどの信号に対する利得調整ボリューム１２が図３の例では３個設けられている。そして、これら利得調整ボリューム１２の下側には、−１０ｄＢまたは−２０ｄＢ低減用のスライドアッテネータ１３が４個一列に設けられており、さらにこれらスライドアッテネータ１３の左側には、ＢＳへの電力供給用のスライド式のオン／オフスイッチ１４が設けられている。また、筐体３１の正面下左側には電源スイッチ１５が設けられている。
【００３０】
また、筐体３１の下側面には、本ブースタ３０への外部交流電源接続用で、速結端子の電線挿入孔１６が設けられている。
【００３１】
さらに、筐体３１の上側面には、図３の例では、端子１７が各列３個づつ２段に配列され、これら２段の領域のうち一方の領域に配列される各端子１７と他方の領域に配列される各端子１７とが互い違いに配列されるいわゆるちどり配列構造になっており、そして上記２段の領域の境界には正面側の領域が一段下がる段差３１ｃが形成されている。
【００３２】
このように、端子１７を２段に配列することにより、筐体３１の横幅がそれら端子を一列に並べる場合と比較すると半分程度の長さに短縮されることになる。また、段差３１ｃを形成することにより、各端子１７への同軸ケーブルの正面からの接続作業が容易になる。さらに、ちどり配列構造にすることにより、各端子１７への同軸ケーブルの正面からの接続作業が一層容易になる。
【００３３】
以上、第３実施形態によれば、第２実施形態と同様の効果を奏することが可能になるとともに、各端子１７への同軸ケーブルの接続作業を一層容易にすることが可能になる。
【００３４】
図４（ａ）〜（ｄ）は、それぞれ本発明の第４実施形態に係るブースタの正面図、上側面図、下側面図および右側面図で、以下この図を用いて第４実施形態について説明する。
【００３５】
このブースタ４０は、例えば、ＵＶ混合器としての混合器部、ＢＳ−ＩＦ入力部、４または６分配器としての分配器部、ＦＭ、ＶＨＦ、ＵＨＦ、ＢＳ−ＩＦ、ＣＳ−ＩＦまたはＣＡＴＶなどの信号を増幅するブースタ部、および電源部などを有し（図示省略）、これら混合器部、ＢＳ−ＩＦ入力部、分配器部、ブースタ部および電源部などは、例えばアルミダイキャスト製の筐体４１に内蔵されている。
【００３６】
この筐体４１は、上下方向に伸びる直方体形状に形成され、上下方向にそれぞれ耳状のフランジ部４１ａ，４１ｂを備え、これらフランジ部４１ａ，４１ｂの各左右端側には本ブースタ取付け用の孔ＴＨ１が穿設されている。
【００３７】
また、筐体４１の正面中央右側には、上記ＵＨＦやＶＨＦなどの信号に対する利得調整ボリューム１２が図４の例では３個設けられている。そして、これら利得調整ボリューム１２の下側には、−１０ｄＢまたは−２０ｄＢ低減用のスライドアッテネータ１３が４個一列に設けられており、さらにこれらスライドアッテネータ１３の左側には、ＢＳへの電力供給用のスライド式のオン／オフスイッチ１４が設けられている。
【００３８】
また、筐体４１の上側面には、図４の例では、端子１７が各列２個づつ２段に配列され、これら２段の領域のうち一方の領域に配列される各端子１７と他方の領域に配列される各端子１７とが互い違いに配列されるちどり配列構造になっており、そして上記２段の領域の境界には正面側の領域が一段下がる段差４１ｃが形成されている。また、この段差４１ｃにより生じる筐体４１の段差面４１ｄにおける端子１７と対向する部分にはざぐり部（溝部）４１ｅが形成されている。
【００３９】
また、筐体４１の下側面の右側には、図４の例では、端子１７が各列１個づつ２段に配列され、これら２段の領域の境界には正面側の領域が一段上がる段差４１ｆが形成され、そしてこの段差４１ｆにより生じる筐体４１の段差面４１ｇにおける端子１７と対向する部分にはざぐり部（溝部）４１ｈが形成されている。また、上記２段の領域うちフランジ部４１ｂ側の領域には右側の領域が一段下がる段差４１ｉが形成されている。
【００４０】
さらに、上記段差４１ｆ，４１ｉにより生じる広い方の段差面４１ｊの左下側には電源スイッチ１５が設けられ、この電源スイッチ１５下方の下側面には本ブースタ４０への外部交流電源接続用で、速結端子の電線挿入孔１６が設けられている。
【００４１】
上記のように、端子１７を２段に配列することにより、筐体４１の横幅がそれら端子を一列に並べる場合と比較すると半分程度の長さに短縮することになる。また、段差４１ｃ，４１ｆを形成することにより、各端子１７への同軸ケーブルの正面からの接続作業が容易になる。また、ちどり配列構造にすることにより、各端子１７への同軸ケーブルの正面からの接続作業が一層容易になる。さらに、ざぐり部４１ｅ，４１ｈを設けることにより、各端子１７への同軸ケーブルの接続作業がより一層容易になる。
【００４２】
以上、第４実施形態によれば、第３実施形態と同様の効果を奏することが可能になるとともに、各端子１７への同軸ケーブルの接続作業をより一層容易にすることが可能になる。
【００４３】
図５〜図８は、それぞれ本発明の第５実施形態に係るブースタの斜視図、正面図、上側面図および下側面図で、以下これらの図を用いて第５実施形態について説明する。
【００４４】
このブースタ５０は、例えば、ＵＶ混合器としての混合器部、ＢＳ−ＩＦ入力部、４または６分配器としての分配器部、ＦＭ、ＶＨＦ、ＵＨＦ、ＢＳ−ＩＦ、ＣＳ−ＩＦまたはＣＡＴＶなどの信号を増幅するブースタ部、および電源部などを有し（図示省略）、これら混合器部、ＢＳ−ＩＦ入力部、分配器部、ブースタ部および電源部などは、例えばアルミダイキャスト製でサイズがモジュール化された筐体５１に内蔵されている。
【００４５】
この筐体５１は、上下方向に伸びる直方体形状に形成され、上下方向にそれぞれ耳状のフランジ部５１ａ，５１ｂを備え、フランジ部５１ａの左右端側には本ブースタ取付け用で仮止め機能を有する孔ＴＨ２が穿設され、フランジ部５１ｂの左右端側には本ブースタ取付け用の孔ＴＨ３が穿設されている。
【００４６】
また、筐体５１の正面中央右側には、上記ＵＨＦやＶＨＦなどの信号に対する可変式の利得調整ボリューム１２が図５などの例では３個設けられている。そして、これら利得調整ボリューム１２の下側には、−１０ｄＢまたは−２０ｄＢ低減用のスライドアッテネータ１３が４個一列に設けられており、さらにこれらスライドアッテネータ１３の左側には、ＢＳへの電力供給用のスライド式のオン／オフスイッチ１４が設けられている。
【００４７】
また、筐体５１の上側面には、図６の例では、端子１７が各列３個づつ２段に配列され、これら２段の領域のうち一方の領域に配列される各端子１７と他方の領域に配列される各端子１７とが互い違いに配列されるちどり配列構造になっており、そして上記２段の領域の境界には正面側の領域が一段下がる段差５１ｃが形成されている。
【００４８】
また、筐体５１の下側面の右側には、図５および図６の例では、端子１７が各列１個づつ２段に配列され、これら２段の領域の境界には正面側の領域が一段上がる段差５１ｆが形成され、そして上記２段の領域うちフランジ部５１ｂ側の領域には右側の領域が一段下がる段差５１ｉが形成されている。
【００４９】
さらに、上記段差５１ｆ，５１ｉにより生じる広い方の段差面５１ｊの左下側には電源スイッチ１５が設けられ、この電源スイッチ１５下方の下側面には本ブースタ５０への外部交流電源接続用で、速結端子の電線挿入孔１６が設けられている。また、上記フランジ部５１ａ，５１ｂの正面側には、本ブースタ５０のモジュールサイズを示すための上下方向に伸びる溝５１ｋが形成されている。
【００５０】
上記のように、端子１７を２段に配列することにより、筐体５１の横幅がそれら端子を一列に並べる場合と比較すると半分程度の長さに短縮することになる。また、段差５１ｃ，５１ｆを形成することにより、各端子１７への同軸ケーブルの正面からの接続作業が容易になる。さらに、ちどり配列構造にすることにより、各端子１７への同軸ケーブルの正面からの接続作業が一層容易になる。
【００５１】
このように構成された本ブースタ５０は、図９および図１０に示すように、板状の取付台２、この取付台２が底にねじ止めされる箱状のボディ３、およびこのボディ３の開口部閉塞用のカバー４などにより成るマルチメディアポート１のその取付台２上に、サイズがモジュール化されたＤＳＵ５、モジュラ端子台６、デジタルＣＳ衛星信号切換器７および電源端子台８などとともに取り付けられる。
【００５２】
ここで、本ブースタ５０の幅の短縮効果により、マルチメディアポート１に対するマルチメディア関連機器の収納率が向上する。また、各マルチメディア関連機器のサイズがモジュール化されているので、図１１に示すようなデッドスペースが大幅に縮小し、非常に効率的な収納効果を上げることが可能になる。
【００５３】
以上、第５実施形態によれば、第３実施形態と同様の効果を奏することが可能になるとともに、溝５１ｋが形成されているので、本ブースタのモジュールサイズの把握が容易になる。また、サイズがモジュール化されているので、マルチメディアポートに対するマルチメディア関連機器の収納効率を向上させることが可能になる。
【００５４】
なお、上記第１〜第５実施形態では、端子１７を６または８個備える構成になっているが、これに限らず、本発明は、これ以外の端子数を備えるブースタにも適用可能であることは言うまでもない。
【００５５】
【発明の効果】
以上のことから明らかなように、請求項１記載の発明によれば、筐体の外面に複数の同軸ケーブル接続用の端子が取り付けられるブースタにおいて、前記複数の端子は前記筐体の側部外面に２段に配列され、前記複数の端子が配列される２段の境界に立設する段差面が形成され、この段差面の基端に接し前記側部の面の一部を形成する一の面と、前記段差面の先端に接し前記側部の面の残部を形成する他の面とに分けて、前記複数の端子が配列され、前記段差面における前記端子と対向する部分には溝部が形成されるので、同軸ケーブル接続用の端子数が増大しても、筐体の幅の短縮が可能になる。これにより、小型化および狭い施工スペースへの効率的な取付けが可能となる。また、各端子への同軸ケーブルの接続作業を一層容易にすることが可能になる。
【００５８】
請求項２記載の発明によれば、前記２段のうち一方に配列される各端子と他方に配列される各端子とが互い違いに配列されるちどり配列構造になっているので、各端子への同軸ケーブルの接続作業を一層容易にすることが可能になる。
【図面の簡単な説明】
【図１】（ａ）〜（ｄ）は、それぞれ本発明の第１実施形態に係るブースタの正面図、上側面図、下側面図および右側面図である。
【図２】（ａ）〜（ｄ）は、それぞれ本発明の第２実施形態に係るブースタの正面図、上側面図、下側面図および右側面図である。
【図３】（ａ）〜（ｄ）は、それぞれ本発明の第３実施形態に係るブースタの正面図、上側面図、下側面図および右側面図である。
【図４】（ａ）〜（ｄ）は、それぞれ本発明の第４実施形態に係るブースタの正面図、上側面図、下側面図および右側面図である。
【図５】本発明の第５実施形態に係るブースタの斜視図である。
【図６】第５実施形態に係るブースタの正面図である。
【図７】第５実施形態に係るブースタの上側面図である。
【図８】第５実施形態に係るブースタの下側面図である。
【図９】第５実施形態に係るブースタなどを収納するマルチメディアポートの斜視図である。
【図１０】図９に示すマルチメディアポートが第５実施形態に係るブースタなどを収納している様子を示す正面図である。
【図１１】従来のマルチメディアポートが従来のブースタなどを収納している様子を示す正面図である。
【図１２】（ａ）〜（ｄ）は、それぞれ多機能化に伴って端子数を多く備える従来形式の一例としてのブースタの正面図、上側面図、下側面図および右側面図である。
【符号の説明】
１０，２０，３０，４０，５０  ブースタ
１１，２１，３１，４１，５１  筐体
１２  利得調整ボリューム
１３  スライドアッテネータ
１４  オン／オフスイッチ
１５  電源スイッチ
１６  電線挿入孔
１７  端子（同軸ケーブル接続用の端子）
２１ｃ，３１ｃ，４１ｃ，４１ｆ，５１ｃ，５１ｆ  段差
４１ｅ，４１ｈ  ざぐり部
【図１】
0003661442.tif 000002
【図２】
0003661442.tif 000003
【図３】
0003661442.tif 000004
【図４】
0003661442.tif 000005
【図５】
0003661442.tif 000006
【図６】
0003661442.tif 000007
【図７】
0003661442.tif 000008
【図８】
0003661442.tif 000009
【図９】
0003661442.tif 000010
【図１０】
0003661442.tif 000011
【図１１】
0003661442.tif 000012
【図１２】
0003661442.tif 000013